(57)【特許請求の範囲】
【請求項１】
異種硬貨を収納する複数の収納部を備える自動取引装置において、
第１の収容部および第２の収容部と；
複数の蓋と；
を含む収容カセットを備え、
前記第１の収容部または前記第２の収容部は、前記複数の蓋により選択的に開かれた状態となり、
前記複数の蓋は、
第１の蓋と、
前記第１の蓋の外側に、前記第１の収容部および第２の収容部に対して設けられた第２の蓋と、
を含み、
前記第２の蓋が開いている場合、前記第１の収容部または前記第２の収容部の一方は前記第１の蓋により閉じられ、他方は開かれた状態となる、自動取引装置。
【請求項２】
前記第１の蓋は、前記第１の収容部を閉じる位置と、前記第２の収容部を閉じる位置との間で可動に設けられ、
前記収容カセットは、
前記第２の収容部を閉じる方向に前記第１の蓋を付勢する弾性部材を含む、請求項１に記載の自動取引装置。
【請求項３】
前記第１の蓋は、前記第１の収容部を閉じる位置と、前記第２の収容部を閉じる位置との間でスライド可能に設けられる、請求項１または２に記載の自動取引装置。
【請求項４】
前記第１の蓋は、前記第１の収容部を閉じる位置と、前記第２の収容部を閉じる位置との間で回転可能に設けられる、請求項２に記載の自動取引装置。
【請求項５】
前記第１の蓋は、前記第２の蓋が閉じられた状態においては前記第２の蓋により前記第１の収容部を閉じる位置に固定され、前記第２の蓋が開いた状態においては前記弾性部材の弾性力により前記第２の収容部を閉じる位置に回転移動する、請求項４に記載の自動取引装置。
【請求項６】
前記第２の蓋は、前記第１の収容部へ硬貨が入るための第１のスリット、および前記第２の収容部へ硬貨が入るための第２のスリットを有し、
前記第１の蓋は、前記第２の蓋が閉じられた状態において前記第１のスリットに対応する位置にスリットを有する、請求項１から５のいずれか１項に記載の自動取引装置。
【発明の詳細な説明】
【技術分野】
【０００１】
本発明は、自動取引装置に関する。
【背景技術】
【０００２】
昨今、金融機関のＡＴＭ（Ａｕｔｏｍａｔｅｄ  ｔｅｌｌｅｒ  ｍａｃｈｉｎｅ）に代表される自動取引装置は、銀行、駅構内およびコンビニエンスストアなど、多様な場所に設置されている。顧客は、この自動取引装置に表示される表示画面において各種操作を行うことにより、入金、出金および残高照会などの取引を行うことができる。
【０００３】
このような自動取引装置は、入金および出金等する硬貨を処理する硬貨処理部を備える。硬貨処理部に関する技術としては、下記特許文献１〜３が挙げられる。
【先行技術文献】
【特許文献】
【０００４】
【特許文献１】特開２０１０−３３１８９号公報
【特許文献２】特開２００９−２１７６１０号公報
【特許文献３】特開２００６−２０１８６３号公報
【発明の概要】
【発明が解決しようとする課題】
【０００５】
しかしながら、従来の硬貨処理部においては、回収に伴う異種硬貨混合の恐れがあった。例えば、硬貨処理部が有する金種別スタッカ、取り忘れ回収部、運用リジェクト部および補充リジェクト部等の各収納部から硬貨を取り出す際に、硬貨を取りこぼし、誤って異種硬貨の収納部に混ざってしまう問題があった。
【０００６】
そこで、本発明は、上記問題に鑑みてなされたものであり、本発明の目的とするところは、回収に伴う異種硬貨の混合を防止することが可能な、新規かつ改良された自動取引装置を提供することにある。
【課題を解決するための手段】
【０００７】
上記課題を解決するために、本発明のある観点によれば、異種硬貨を収納する複数の収納部を備える自動取引装置において、第１の収容部および第２の収容部と、一又は複数の蓋と、を含む収容カセットを備え、前記第１の収容部または前記第２の収容部は、前記一又は複数の蓋により選択的に開かれた状態となる、自動取引装置が提供される。
【０００８】
また、前記複数の蓋は、第１の蓋と、前記第１の蓋の外側に、前記第１の収容部および第２の収容部に対して設けられた第２の蓋と、を含み、前記第２の蓋が開いている場合、前記第１の収容部または前記第２の収容部の一方は前記第１の蓋により閉じられ、他方は開かれた状態としてもよい。
【０００９】
また、前記第１の蓋は、前記第１の収容部を閉じる位置と、前記第２の収容部を閉じる位置との間で可動に設けられ、前記収容カセットは、前記第２の収容部を閉じる方向に前記第１の蓋を付勢する弾性部材を含んでもよい。
【００１０】
また、前記第１の蓋は、前記第１の収容部を閉じる位置と、前記第２の収容部を閉じる位置との間でスライド可能に設けられてもよい。
【００１１】
また、前記第１の蓋は、前記第１の収容部を閉じる位置と、前記第２の収容部を閉じる位置との間で回転可能に設けられてもよい。
【００１２】
また、前記第１の蓋は、前記第２の蓋が閉じられた状態においては前記第２の蓋により前記第１の収容部を閉じる位置に固定され、前記第２の蓋が開いた状態においては前記弾性部材の弾性力により前記第２の収容部を閉じる位置に回転移動してもよい。
【００１３】
また、前記第２の蓋は、前記第１の収容部へ硬貨が入るための第１のスリット、および前記第２の収容部へ硬貨が入るための第２のスリットを有し、前記第１の蓋は、前記第２の蓋が閉じられた状態において前記第１のスリットまたは前記第２のスリットに対応する位置にスリットを有してもよい。
【００１４】
また、前記一又は複数の蓋は、前記第１の収容部および前記第２の収容部の双方を閉じる位置、および、前記第１の収容部または前記第２の収容部の一方を開く位置の間でスライドにより移動可能に設けられた一の蓋を含んでもよい。
【００１５】
また、前記一又は複数の蓋は、前記第１の収容部を開閉する第１の蓋と、前記第２の収容部を開閉する第２の蓋と、前記第１または第２の蓋の双方が同時に開いた状態にならないように前記第１または第２の蓋の開閉を制限するストッパーと、を含んでもよい。
【００１６】
また、前記収容カセットは、前記第１の蓋および前記第２の蓋の外側に、前記第１の収容部および第２の収容部に対して設けられた第３の蓋を含んでもよい。
【発明の効果】
【００１７】
以上説明したように本発明によれば、回収に伴う異種硬貨の混合を防止することが可能である。
【図面の簡単な説明】
【００１８】
【図１】本発明の実施形態である自動取引システムの構成を示した説明図である。
【図２】本発明の実施形態である自動取引装置の内部構成の一例を示す図である。
【図３】本発明の実施形態である硬貨処理部の構成の一例を示す図である。
【図４】従来の回収カセットを説明するための図である。
【図５】本発明の第１の実施形態による回収カセットの概略斜視図である。
【図６】本発明の第１の実施形態による回収カセットが有する内蓋の可動構造について説明するための概略断面図である。
【図７】本発明の第２の実施形態による回収カセットの概略斜視図である。
【図８】本発明の第３の実施形態による回収カセットの概略断面図である。
【図９】本発明の第４の実施形態による回収カセットの概略斜視図である。
【図１０】本発明の第４の実施形態による回収カセットにおける開閉制限について説明するための図である。
【図１１】本発明の第５の実施形態による回収カセットの概略斜視図である。
【図１２】本発明の第６の実施形態による回収カセットの概略斜視図である。
【図１３】本発明の第６の実施形態の変更例による回収カセットの概略斜視図である。
【発明を実施するための形態】
【００１９】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２０】
また、本発明は、以下本明細書において詳細に説明するような形態で実施され得る。ここで、本発明の実施形態による自動取引装置１は、
異種硬貨を収納する複数の収納部を備える自動取引装置において、
（Ａ）第１の収容部（取り忘れ回収部３１）および第２の収容部（運用リジェクトカセット３２）と；
（Ｂ）一又は複数の蓋（内蓋４２、５１、５５、７５、７７および外蓋４０、６１、６２、７０、８３）と；
を含む収容カセット（回収カセット３０）を備え、
（Ｃ）前記第１の収容部または前記第２の収容部は、前記一又は複数の蓋により選択的に開かれた状態となる。
【００２１】
このような自動取引装置１について、まず自動取引装置１を用いた自動取引システムの概要を説明してから、各実施形態について説明する。
【００２２】
＜１．自動取引システムの概要＞
図１は、本発明の実施形態である自動取引システムの構成を示した説明図である。図１に示したように、自動取引システムは、自動取引装置１、専用網７、および金融機関ホスト９を含む。
【００２３】
自動取引装置１は、金融機関の顧客による操作に基づいて金銭の取引を実行する顧客操作型端末である。この自動取引装置１は、金融機関の営業店、コンビニエンスストア、駅構内、ホテル、病院、アミューズメントパーク、飲食店、オフィスビルディングなどの多様な施設に設置される。
【００２４】
また、自動取引装置１は、硬貨取扱口２、紙幣取扱口３、顧客操作表示部４、通帳挿入口５、およびカード挿入口６を備える。顧客操作表示部４は、顧客による操作の誘導画面を表示する表示部および顧客操作を検出する顧客操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、顧客操作部としての機能は例えばタッチパネルにより実現される。なお、図１においては表示部および顧客操作部の機能が自動取引装置１において一体的に構成される例を示しているが、表示部および顧客操作部の機能は分離して構成されてもよい。
【００２５】
通帳挿入口５は顧客の通帳の挿入および排出を行い、カード挿入口６は顧客のキャッシュカードの挿入および排出を行う。また、硬貨取扱口２および紙幣取扱口３は、顧客による硬貨／紙幣の入金口、および顧客への硬貨／紙幣の出金口としての機能を有する。
【００２６】
専用網７は、金融機関のネットワークであり、例えばＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）により構成される。金融機関ホスト９は、この専用網７を介して自動取引装置１と通信することができる。
【００２７】
金融機関ホスト９は、専用網７を介して自動取引装置１と通信することにより、各種取引を制御する。例えば、金融機関ホスト９は、自動取引装置１を操作する顧客の認証を行ったり、自動取引装置１において顧客により指示された入金や振込などの金銭取引（勘定の取引処理）を実行したりする。また、金融機関ホスト９は、口座番号、暗証番号、氏名、住所、年齢、生年月日、電話番号、職業、家族構成、年収、預金残高などの顧客情報（口座の元帳）を管理する。
【００２８】
本発明の実施形態は、上述した自動取引システムに含まれる自動取引装置１が有する硬貨処理部に関する。以下、自動取引装置１の内部構成を参照して硬貨処理部について説明した後、本発明の各実施形態について詳細に説明する。
【００２９】
［１−１．自動取引装置１の内部構成］
図２は、自動取引装置１の内部構成を示す図である。図２に示したように、本実施形態による自動取引装置１には、硬貨取扱口２に接するようにして硬貨処理部１０が内蔵されている。この硬貨処理部１０は、保守の際に、装置前面または後面の金庫扉が開かれ、金庫扉から引き出されて保守される。その他、自動取引装置１には紙幣入出金部等も同様に内蔵されているが、簡略化のためにその説明を省略する。
【００３０】
［１−２．硬貨処理部１０］
次に、自動取引装置１に内蔵される硬貨処理部１０の構成および基本動作について図３を参照して説明する。
【００３１】
（硬貨処理部１０の構成）
図３は、硬貨処理部１０の構成の一例を示す図である。図３に示すように、硬貨処理部１０は、硬貨を収納する収納部として、金種別スタッカ２７、オーバーフローボックス３３、入出金口部１２、硬貨カセット３４、補充／回収部３６、補充リジェクト部３５、および回収カセット３０を有する。
【００３２】
金種別スタッカ２７は、硬貨の種類（金額）別に硬貨を収納する。オーバーフローボックス３３は、金種別スタッカから溢れた硬貨を収納する。入出金口部１２は、利用者が投入した硬貨を受け入れる等、利用者との硬貨の授受を行う。硬貨カセット３４は、係員が補充する硬貨をセットするための補充／回収部３６及び補充リジェクト部３５から構成されている。補充リジェクト部３５は、補充処理において、識別部１５によってリジェクト貨と判定された硬貨、又は、繰出部１４によって所定時間以内に分離できなかった硬貨を収納し、収納した硬貨は搬送路には還流させない。
【００３３】
回収カセット３０は、搬送路に還流させない硬貨を収納する。また、回収カセット３０は、利用者が取り忘れた硬貨を収納する取り忘れ回収部３１と、識別部１５によってリジェクト貨と判定された硬貨、又は、繰出部１４によって所定時間以内に分離できなかった硬貨を収納する運用リジェクト部３２とから構成されている。
【００３４】
これらの収納部のうち、金種別スタッカ２７、オーバーフローボックス３３、入出金口部１２及び硬貨カセット３４の補充／回収部３６は、還流に適した硬貨を収納する収納部であり、回収カセット３０及び補充リジェクト部３５は、還流に適さない硬貨を収納する収納部である。
【００３５】
また、図３に示すように、硬貨処理部１０は、繰出部１４を有する。繰出部１４は、受け入れた硬貨を収納して１枚ずつ分離し、分離した硬貨を搬送路上へ繰出す。識別部１５は、繰出部１４から繰出された硬貨が正常貨か否かを識別する。識別の基準は硬貨の形状であり、例えば、偽造、傷、曲がりが検知された場合、正常貨でない（リジェクト貨）と識別される。残留センサ３８は、繰出部１４に備えられ、繰出部１４に硬貨が存在している場合、硬貨の存在を検知する。つまり、残留センサ３８は、繰出部１４内に硬貨の残留があるか否かを判定するために用いられる検知部である。
【００３６】
（硬貨処理部１０の基本動作）
次に、上述した構成を有する硬貨処理部１０の基本動作について説明する。硬貨処理部１０は、基本動作として、入金収納処理、出金収納処理、補充処理、および回収処理を行う。
【００３７】
入金収納処理においては、まず硬貨取扱口２のシャッタ１１が開放され、顧客により投入された硬貨が、入出金口部１２により受け入れられる。受け入れられた硬貨は、シューター１３を経て繰出部１４へ落下する。落下した硬貨は、繰出部１４によって１枚毎に分離されて識別部１５へ搬送される。識別部１５では、硬貨の判定が行われる。判定の結果、正常貨は、選別ゲート１７を経て一括一時保留搬送路３７へ搬送される。そして、入金取引が完了すると、一括一時保留搬送路３７の硬貨は、繰出部１４、識別部１５、搬送路１６及び金種に応じた選別ゲート１８〜２３を経て金種別スタッカ２７へ搬送される。また、金種別スタッカ２７から溢れた硬貨は搬送路１６、および選別ゲート２４を経て、搬送路２８に搬送され、オーバーフローボックス３３に収納される。一方、識別部１５によりリジェクト貨と判定された硬貨は、搬送路１６を経て入出金口部１２に戻される。ここで、入金取引が完了して一括一時保留搬送路３７の硬貨を繰出部１４へ搬送した後、繰出部１４による繰出処理において、繰出不良によるリトライ動作を実施した場合は、分離した硬貨の収納先を回収カセット３０の運用リジェクト部３２にする。
【００３８】
次に、補充処理について説明する。係員により硬貨カセット３４の補充／回収部３６に補充された硬貨は、一括一時保留搬送路３７、繰出部１４、識別部１５、搬送路１６及び金種に応じた選別ゲート１８〜２３を経由し、識別部１５にて正常貨と判定された硬貨は、金種別スタッカ２７又はオーバーフローボックス３３へ、リジェクト貨と判定された硬貨は、硬貨カセット３４の補充リジェクト部３５へ搬送される。ここで、硬貨カセット３４の補充／回収部３６に補充された硬貨を一括一時保留搬送路３７から繰出部１４へ搬送した後の繰出部１４による繰出処理において、繰出不良によるリトライ動作を実施した場合は、分離した硬貨の収納先を、硬貨カセット３４の補充リジェクト部３５にする。
【００３９】
次に、出金処理について説明する。出金処理においては、まず、上位装置９０から出金指示された指定金種及び枚数の硬貨が、金種別スタッカ２７から繰り出され、一括一時保留搬送路３７、繰出部１４、識別部１５、搬送路１６、選別ゲート１８〜２３、および搬送路２９を経由し、識別部１５にて正常貨と判定された硬貨は入出金口部１２へ搬送され、リジェクト貨と判定された硬貨は回収カセット３０の運用リジェクト部３２へ搬送される。ここで、金種別スタッカ２７から繰出された硬貨を一括一時保留搬送路３７から繰出部１４へ搬送した後の繰出部１４による繰出処理において、繰出不良によるリトライ動作を実施した場合は、分離した硬貨の搬送先を、回収カセット３０の運用リジェクト部３２にする。
【００４０】
次に、回収処理について説明する。上位装置９０から回収指示された指定金種及び枚数の硬貨は、金種別スタッカ２７から繰出を行い、一括一時保留搬送路３７、繰出部１４、識別部１５、搬送路１６、２８、２９及び金種に応じた選別ゲートを経由し、識別部１５にて正常貨と判定された硬貨は、硬貨カセット３４の補充／回収部３６へ、リジェクト貨と判定された硬貨は、回収カセット３０の運用リジェクト部３２へ搬送される。ここで、金種別スタッカ２７から繰出された硬貨を一括一時保留搬送路３７から繰出部１４へ搬送した後の繰出部１４による繰出処理において、繰出不良によるリトライ動作を実施した場合は、分離した硬貨の搬送先を、回収カセット３０の運用リジェクト部３２にする。
【００４１】
［１−３．本発明に至る過程］
以上、硬貨処理部１０の構成と基本動作について説明した。上述したように、硬貨処理部から硬貨を回収する際、作業員は、通常、自動取引装置から硬貨処理部を引き出し、硬貨処理部の各収納部から硬貨を取り出す。しかし、その際に硬貨を取りこぼし、誤って異種硬貨の収納部に混ざってしまう恐れがあった。以下、図４を参照して具体的に説明する。
【００４２】
図４は、従来の回収カセットを説明するための図である。図４に示すように、従来の回収カセット１００は、内部が取り忘れ回収部１０１および運用リジェクト部１０３に仕切られ、上部には外蓋１０５が設けられる。
【００４３】
また、外蓋１０５には、取り忘れ回収部１０１に硬貨が入るためのスリット１０７、および運用リジェクト部１０３に硬貨が入るためのスリット１０９が設けられている。スリット１０７およびスリット１０８には、それぞれシャッタが設けられ（図示せず）、回収カセット１００が本体（自動取引装置）に装填されている場合、各シャッタは本体に設けられたシャッタ解除棒（図示せず）により開けられ、取り忘れ回収部１０１および運用リジェクト部１０３にそれぞれ硬貨が入れられる。また、回収カセット１００が本体（自動取引装置）から外された場合、各シャッタは閉まり、硬貨が回収カセット１００から飛び出ない構造となっている。
【００４４】
ここで、外蓋１０５は、図４に示すように、取り忘れ回収部１０１および運用リジェクト部１０３を同時に開閉することが可能に設けられている。作業員は、外蓋１０５を図４右の回収カセット１００に示すように開けた状態で硬貨を取り出す。この際、取り忘れ回収部１０１および運用リジェクト部１０３の一方から取り出した硬貨を他方に落とす等して混同してしまう恐れがある。硬貨が混同すると、現金違算になるという問題がある。
【００４５】
そこで、上記事情を一着眼点にして本発明の実施形態による自動取引装置を創作するに至った。本発明の実施形態による自動取引装置は、第１の収容部および第２の収納部を選択的に開かれた状態とすることで、異種硬貨の混同を防止することが可能である。以下、このような本発明の実施形態について詳細に説明する。
【００４６】
＜２．各実施形態＞
本発明の実施形態による自動取引装置１は、回収作業に伴う異種硬貨混同を防止する回収カセット（収容カセット）を有する。具体的には、本実施形態による回収カセットは、第１の収容部として取り忘れ回収部、および第２の収容部として運用リジェクト部を有し、これらの収容部は、一又は複数の蓋により選択的に開かれた状態となる。以下、複数の実施形態を参照して詳細に説明する。
【００４７】
[２−１．第１の実施形態]
本発明の第１の実施形態による自動取引装置１は、複数の蓋として、内蓋（第１の蓋）および外蓋（第２の蓋）を有し、外蓋が開いている場合、取り忘れ回収部または運用リジェクト部の一方は内蓋により閉じられ、他方は開かれた状態となる。さらに、内蓋は、取り忘れ回収部を閉じる位置と、運用リジェクト部を閉じる位置との間で回転可能に設けられる。また、本実施形態による回収カセット（収容カセット）は、運用リジェクト部を閉じる方向に内蓋を付勢するバネ（弾性部材）を含む。
【００４８】
このような構成を有する回収カセットについて、図５および図６を参照して詳細に説明する。図５は、本発明の第１の実施形態による回収カセット３０−１の概略斜視図である。図５に示すように、回収カセット３０−１は、内部が取り忘れ回収部３１および運用リジェクト部３２に仕切られ、上部には外蓋４０が設けられる。
【００４９】
また、外蓋４０には、取り忘れ回収部３１に硬貨が入るためのスリット４７、および運用リジェクト部３２に硬貨が入るためのスリット４９が設けられている。スリット４７およびスリット４９には、それぞれシャッタが設けられ（図示せず）、回収カセット３０−１が本体（自動取引装置）に装填されている場合、各シャッタは本体に設けられたシャッタ解除棒（図示せず）により開けられ、取り忘れ回収部３１および運用リジェクト部３２にそれぞれ硬貨が入れられる。また、回収カセット３０−１が本体（自動取引装置）から外された場合、各シャッタは閉まり、硬貨が回収カセット３０−１から飛び出ない構造となっている。
【００５０】
ここで、外蓋４０は、図５に示すように、取り忘れ回収部３１および運用リジェクト部３２に対して開閉可能に設けられている。
【００５１】
さらに、本実施形態による回収カセット３０−１は、外蓋４０の内側に、内蓋４２が設けられる。内蓋４２には、硬貨が入るためのスリット４３が外蓋４０のスリット４７に対応する位置に設けられる。また、内蓋４２は、図５に示すように、取り忘れ回収部３１を閉じる位置と、運用リジェクト部３２を閉じる位置との間で回転可能に設けられている。図５に示す例では、内蓋４２は、外蓋４０が閉じられている場合に取り忘れ回収部３１を閉じる位置にあり（図５左）、外蓋４０が開けられると、運用リジェクト部３２を閉じる位置に可動する（図５右）。このような内蓋４２の可動構造について、以下図６を参照して説明する。
【００５２】
図６は、第１の実施形態による回収カセット３０−１が有する内蓋４２の可動構造について説明するための概略断面図である。図６に示すように、第１の実施形態による回収カセット３０−１は、運用リジェクト部３２を閉じる方向に内蓋４２を付勢するバネ４４を有する。なお、本実施形態において、バネ４４は弾性部材の一例として用いられる。
【００５３】
内蓋４２は、バネ４４により常に運用リジェクト部３２を閉じる方向に付勢されるが、外蓋４０（図示せず）が閉じられている場合は、図６左に示すように、外蓋４０の押圧により、取り忘れ回収部３１を閉じる状態となっている。そして、作業員が硬貨取り出しのために外蓋４０を開くと、バネ４４の付勢により内蓋４２が運用リジェクト部３２を閉じる方向に回転軸４５を中心に回転可動する。これにより、取り忘れ回収部３１が開かれ、運用リジェクト部３２が内蓋４２により覆われるので、作業員が取り忘れ回収部３１から硬貨を取り出す際に、運用リジェクト部３２内に硬貨が落ちることを防止できる。
【００５４】
一方、運用リジェクト部３２から硬貨を取り出す際は、図６右に示すように、内蓋４２を作業員が手で開けて、取り忘れ回収部３１方向に立てる。これにより、内蓋４２で、取り忘れ回収部３１と運用リジェクト部３２の間を仕切ることができるので、作業員が運用リジェクト部３２から硬貨を取り出す際に、取り忘れ回収部３１内に硬貨が落ちることを防止できる。なお、作業員は、内蓋４２を取り忘れ回収部３１を閉じる位置まで押さえてもよい。
【００５５】
上述したように、第１の実施形態によれば、取り忘れ回収部および運用リジェクト部の一方を閉じる位置に、回転可能な内蓋を付勢する弾性部材を設けることで、取り忘れ回収部および運用リジェクト部が選択的に開かれた状態となるので、一方の硬貨を取り出す際に、他方の収納部に硬貨を落とすことを防止することができる。これにより、硬貨の異種混合の防止、さらに、異種硬貨混同による現金違算を回避することができる。
【００５６】
また、上述した運用リジェクト部３２は、一度正常硬貨と判定され、その後リジェクト貨と判定されたものであるので、収納される枚数は少ない場合が多い。そこで、第１の実施形態において、運用リジェクト部３２を閉じる位置に内蓋４２を付勢するバネ４４を設け、取り忘れ回収部３２が開いた状態を常態とすることで、回収作業時の作業負担を軽減することができる。
【００５７】
[２−２．第２の実施形態]
次に、本発明の第２の実施形態による自動取引装置１について説明する。第２の実施形態による自動取引装置１は、複数の蓋として、内蓋（第１の蓋）および外蓋（第２の蓋）を有し、外蓋が開いている場合、取り忘れ回収部または運用リジェクト部の一方は内蓋により閉じられ、他方は開かれた状態となる。さらに、内蓋は、取り忘れ回収部を閉じる位置と、運用リジェクト部を閉じる位置との間でスライド可能に設けられる。
【００５８】
このような構成を有する回収カセットについて、図７を参照して詳細に説明する。図７は、本発明の第２の実施形態による回収カセット３０−２の概略斜視図である。なお、本実施形態による回収カセット３０−２は、上記第１の実施形態による回収カセット３０−１の構成に比べて内蓋の可動構造が異なるので、その他の構造の説明についてはここでは省略する。
【００５９】
第２の実施形態による回収カセット３０−２の内蓋５１には、図７に示すように、硬貨が入るためのスリット５３が、外蓋４０のスリット４７またはスリット４９の少なくともいずれかに対応する位置に設けられる。また、内蓋５１は、図７に示すように、取り忘れ回収部３１を閉じる位置と、運用リジェクト部３２を閉じる位置との間でスライド可能に設けられている。また、内蓋５１が一方の収納部を閉じる場合、他方の収納部は開かれた状態となる。
【００６０】
例えば、運用リジェクト部３２から硬貨を取り出す場合、図７左に示すように、作業員は外蓋４０を開け、さらに取り忘れ回収部３１を閉じる位置に内蓋５１をスライド移動させる。これにより、運用リジェクト部３２が開かれた状態となるので、作業員は運用リジェクト部３２から硬貨を取り出す。この時、取り忘れ回収部３１は内蓋５１により閉じられているので、本実施形態による回収カセット３０−２は、取り忘れ回収部３１内に硬貨が落ちることを防止することができる。
【００６１】
一方、取り忘れ回収部３１から硬貨を取り出す場合、図７右に示すように、作業員は、外蓋４０を開け、さらに運用リジェクト部３２を閉じる位置に内蓋５１をスライド移動させる。これにより、取り忘れ回収部３１が開かれた状態となるので、作業員は取り忘れ回収部３１から硬貨を取り出す。この時、運用リジェクト部３２は内蓋５１により閉じられているので、本実施形態による回収カセット３０−２は、運用リジェクト部３２内に硬貨が落ちることを防止することができる。
【００６２】
上述したように、第２の実施形態によれば、内蓋が作業員の操作によりスライド移動することで、取り忘れ回収部および運用リジェクト部が選択的に開かれた状態となるので、一方の硬貨を取り出す際に、他方の収納部に硬貨を落とすことを防止することができる。これにより、硬貨の異種混合の防止、さらに、異種硬貨混同による現金違算を回避することができる。
【００６３】
[２−３．第３の実施形態]
次に、本発明の第３の実施形態による自動取引装置１について説明する。第３の実施形態による自動取引装置１は、複数の蓋として、内蓋（第１の蓋）および外蓋（第２の蓋）を有し、外蓋が開いている場合、取り忘れ回収部または運用リジェクト部の一方は内蓋により閉じられ、他方は開かれた状態となる。さらに、内蓋は、取り忘れ回収部を閉じる位置と、運用リジェクト部を閉じる位置との間でスライド可能に設けられる。また、本実施形態による回収カセット（収容カセット）は、運用リジェクト部を閉じる方向に内蓋を付勢するバネ（弾性部材）を含む。
【００６４】
このような構成を有する回収カセットについて、図８を参照して詳細に説明する。図８は、本発明の第３の実施形態による回収カセット３０−３の概略断面図である。なお、本実施形態による回収カセット３０−３は、上記第２の実施形態による回収カセット３０-２の構成に比べて内蓋を付勢するバネを有する点のみが異なるので、その他の構造の説明についてはここでは省略する。
【００６５】
本実施形態による回収カセット３０−３の内蓋５５は、図７に示すように、取り忘れ回収部３１を閉じる位置と、運用リジェクト部３２を閉じる位置との間でスライド可能に設けられている。また、内蓋５１が一方の収納部を閉じる場合、他方の収納部は開かれた状態となる。
【００６６】
さらに、回収カセット３０−３は、内蓋５５を、運用リジェクト部３２を閉じる位置に付勢するバネ５７を有する。なお、バネ５７は弾性部材の一例として用いる。また、内蓋５５には、硬貨が入るためのスリット（図示せず）が、外蓋（図７の外蓋４０に相当）の運用リジェクト部３２に硬貨が入るためのスリット（図７のスリット４９に相当）に対応する位置に設けられる。
【００６７】
このような構成を有する回収カセット３０−３は、図８右に示すように、バネ５７により内蓋５５が運用リジェクト部３２を閉じる位置に付勢され、取り忘れ回収部３１が開いた状態において、作業員は取り忘れ回収部３１から硬貨を取り出す。この時、運用リジェクト部３２は内蓋５５により閉じられているので、本実施形態による回収カセット３０−３は、運用リジェクト部３２内に硬貨が落ちることを防止することができる。
【００６８】
一方、運用リジェクト部３２から硬貨を取り出す場合、図８左に示すように、作業員は、取り忘れ回収部３１を閉じる位置に内蓋５５をスライド移動させる。これにより、運用リジェクト部３２が開かれた状態となるので、作業員は運用リジェクト部３２から硬貨を取り出す。この時、取り忘れ回収部３１は内蓋５１により閉じられているので、本実施形態による回収カセット３０−３は、取り忘れ回収部３１内に硬貨が落ちることを防止することができる。
【００６９】
上述したように、第３の実施形態によれば、取り忘れ回収部および運用リジェクト部の一方を閉じる位置に、スライド可能な内蓋を付勢する弾性部材を設けることで、取り忘れ回収部および運用リジェクト部が選択的に開かれた状態となるので、一方の硬貨を取り出す際に、他方の収納部に硬貨を落とすことを防止することができる。これにより、硬貨の異種混合の防止、さらに、異種硬貨混同による現金違算を回避することができる。
【００７０】
［２−４．第４の実施形態］
次に、本発明の第４の実施形態による自動取引装置１について説明する。第４の実施形態による自動取引装置１の回収カセット（収容カセット）は、一又は複数の蓋として、取り忘れ回収部３１を開閉する第１の外蓋（第１の蓋）、および運用リジェクト部３２を開閉する第２の外蓋（第２の蓋）を有する。また、本実施形態による回収カセットは、第１の外蓋または第２の外蓋の双方が同時に開いた状態にならないように第１または第２の外蓋の開閉を制限するストッパーを有する。
【００７１】
このような構成を有する回収カセットについて、図９を参照して詳細に説明する。図９は、本発明の第４の実施形態による回収カセット３０−４の概略斜視図である。図９に示すように、本実施形態による回収カセット３０−４は、内部が取り忘れ回収部３１および運用リジェクト部３２に仕切られる。また、回収カセット３０−４の上部には、取り忘れ回収部３１を開閉する第１の外蓋である外蓋６１と、運用リジェクト部３１を開閉する第２の外蓋である外蓋６２が設けられる。
【００７２】
また、外蓋６１、６２には、それぞれ硬貨が入るためのスリット６７、６９が設けられている。なお、スリット６７、６９には、それぞれシャッタが設けられ（図示せず）、回収カセット３０−４が本体（自動取引装置）に装填されている場合、各シャッタは本体に設けられたシャッタ解除棒（図示せず）により開けられ、取り忘れ回収部３１および運用リジェクト部３２にそれぞれ硬貨が入れられる。また、回収カセット３０−４が本体（自動取引装置）から外された場合、各シャッタは閉まり、硬貨が回収カセット３０−４から飛び出ない構造となっている。
【００７３】
さらに、本実施形態による回収カセット３０−４は、図９に示すように、外蓋６１または外蓋６２の双方が同時に開いた状態にならないように、外蓋６１または外蓋６２の開閉を制限するストッパー６３を有する。ストッパー６３は、図９に示すように、外蓋６１および外蓋６２が隣接する端の先端に設けられる。また、ストッパー６３は、外蓋６１をロックする位置と、外蓋６２をロックする位置との間をスライド可能に設けられる。なお、図９に示すように、外蓋６１および外蓋６２が隣接する端の先端には、切り込み６４および６５が設けられる。このような構成を有する回収カセット３０−４における開閉制限について、以下図１０を参照して説明する。
【００７４】
図１０は、第４の実施形態による回収カセット３０−４における開閉制限について説明するための図である。取り忘れ回収部３１から硬貨を取り出す場合、作業員はストッパー６３を、外蓋６２をロックする位置にスライド移動させ、外蓋６１のロックを外す（図１０左）。この場合、取り忘れ回収部３１を開くことが可能となる。
【００７５】
一方、運用リジェクト部３２から硬貨を取り出す場合、作業員はストッパー６３を、外蓋６１をロックする位置にスライド移動させ、外蓋６２のロックを外す（図１０右）。この場合、運用リジェクト部３２を開くことが可能となる。
【００７６】
このように、本実施形態による回収カセット３０−４は、ストッパー６３をスライド移動させて外蓋６１または外蓋６２をロックすることで、取り忘れ回収部３１および運用リジェクト部３２を選択的に開かれた状態とすることが可能となる。
【００７７】
上述したように、第４の実施形態によれば、取り忘れ回収部の外蓋および運用リジェクト部の外蓋を独立して設け、さらに、これらの外蓋を選択的にロックするストッパーを設けることで、取り忘れ回収部および運用リジェクト部が選択的に開かれる状態となる。よって、一方の収納部から硬貨を取り出す際に、他方の収納部に硬貨を落とすことを防止することができる。これにより、硬貨の異種混合の防止、さらに、異種硬貨混同による現金違算を回避することができる。
【００７８】
［２−５．第５の実施形態］
次に、本発明の第５の実施形態による自動取引装置１の回収カセットについて説明する。第５の実施形態による自動取引装置１の回収カセット（収納カセット）は、複数の蓋として、第１の内蓋（第１の蓋）、第２の内蓋（第２の蓋）、および外蓋（第３の蓋）を有する。また、本実施形態による回収カセットは、第１の外蓋または第２の外蓋の双方が同時に開いた状態にならないように第１または第２の外蓋の開閉を制限するストッパーを有する。
【００７９】
このような構成を有する回収カセットについて、図１１を参照して詳細に説明する。図１１は、本発明の第５の実施形態による回収カセット３０−５の概略斜視図である。なお、本実施形態による回収カセット３０−５は、上記第４の実施形態による回収カセット３０−４に、外蓋７０を新たに設けた構成である。外蓋７０は、内蓋７５、７７の外側に開閉可能に設けられる。また、外蓋７０には、硬貨が入るためのスリット７１、７３が、外蓋７０のスリット７１、７３にそれぞれ対応する位置に設けられる。また、スリット７１、７３に設けられるシャッタ（図示せず）については、上述した通りである。
【００８０】
このように、第５の実施形態によれば、外蓋と、外蓋の内側に取り忘れ回収部の内蓋および運用リジェクト部の内蓋を独立して設け、さらにこれらの内蓋を選択的にロックするストッパーを設けることで、取り忘れ回収部および運用リジェクト部が選択的に開かれる状態となる。よって、一方の収納部から硬貨を取り出す際に、他方の収納部に硬貨を落とすことを防止することができる。これにより、硬貨の異種混合の防止、さらに、異種硬貨混同による現金違算を回避することができる。
【００８１】
［２−６．第６の実施形態］
次に、本発明の第６の実施形態による自動取引装置１について説明する。第６の実施形態による自動取引装置１の回収カセット（収容カセット）は、一又は複数の蓋として、取り忘れ回収部（第１の収容部）および運用リジェクト部（第２の収容部）の双方を閉じる位置、および、取り忘れ回収部または運用リジェクト部の一方を開く位置の間でスライドにより移動可能に設けられた一の蓋を含む。
【００８２】
このような構成を有する回収カセットについて、図１２を参照して詳細に説明する。図１２は、本発明の第６の実施形態による回収カセット３０−６の概略斜視図である。図９に示すように、本実施形態による回収カセット３０−６は、内部が取り忘れ回収部３１および運用リジェクト部３２に仕切られる。また、回収カセット３０−６の上部には、外蓋８３が設けられる。
【００８３】
外蓋８３には、それぞれ硬貨が入るためのスリット８５、８７が設けられている。なお、スリット８５、８７にそれぞれ設けられるシャッタ（図示せず）については、上述した通りである。
【００８４】
また、本実施形態による外蓋８３は、図１２に示すように、取り忘れ回収部３１および運用リジェクト部３２の双方を閉じる位置（図１２中央）、および、取り忘れ回収部３１または運用リジェクト部３２の一方を開く位置（図１２右および図１２左）の間でスライドにより移動可能に設けられる。
【００８５】
このように、第６の実施形態によれば、一の外蓋によって、取り忘れ回収部または運用リジェクト部を選択的に開かれた状態とすることができるので、一方の収納部から硬貨を取り出す際に、他方の収納部に硬貨を落とすことを防止することができる。これにより、硬貨の異種混合の防止、さらに、異種硬貨混同による現金違算を回避することができる。
【００８６】
以上、複数の実施形態を参照して本発明の実施形態による自動取引装置１について説明した。なお、上記第１の実施形態では、運用リジェクト部３２を閉じる位置に内蓋４２を付勢するバネ４４が設けられるが、本発明による実施形態はこの限りではない。例えば、バネ４４によって、取り忘れ回収部３１を閉じる位置に内蓋４２を付勢してもよい。
【００８７】
また、同様に、上記第３の実施形態では、運用リジェクト部３２を閉じる位置に内蓋５５を付勢するバネ５７が設けられるが、本発明による実施形態はこの限りではない。例えば、バネ５７によって、取り忘れ回収部３１を閉じる位置に内蓋５５を付勢してもよい。
【００８８】
なお、上記複数の実施形態では、異種硬貨を収納する２つの収納部を有する回収カセットを例として示したが、本発明による実施形態はこれに限定されない。例えば、図１３に示すように、異種硬貨を収納する３つの収納部を有する回収カセットであってもよい。図１３は、上述した第６の実施形態の変更例による回収カセット３０−７の概略斜視図である。図１３に示すように、回収カセット３０−７は、内部が取り忘れ回収部３１、運用リジェクト部３２、およびその他の収納部３９に仕切られ、上部には蓋８９および蓋９３が設けられる。その他の収納部３９は、例えば補充リジェクト部であってもよいし、補充／回収部であってもよい。
【００８９】
図１３に示すように、蓋８９は取り忘れ回収部３１を閉じる位置と、運用リジェクト部３２を閉じる位置との間でスライド可能に設けられる。また、蓋９３は運用リジェクト部３２を閉じる位置と、その他収納部３９を閉じる位置との間でスライド可能に設けられる。すなわち、回収カセット３０−７は、３つの収納部のいずれか１つが常時開放される状態となる。なお、図１３に示すように、蓋８９、９３には、回収カセット３０−７の内部に硬貨が入るためのスリット９１、９５がそれぞれ設けられる。
【００９０】
上述したように、第６の実施形態の変更例によれば、３つの収納部のいずれか１つが選択的に開かれた状態となるので、いずれかの収納部から硬貨を取り出す際に、他の収納部に硬貨を落とすことを防止することができる。これにより、硬貨の異種混合の防止、さらに、異種硬貨混同による現金違算を回避することができる。なお、図１３に示す回収カセット３０−７の蓋８９、９３の外側に、回収カセット３０−７の上部を覆い、硬貨が入るためのスリットが設けられた蓋（外蓋）を、さらに備えてもよい。
【００９１】
＜３．まとめ＞
以上説明したように、本発明の実施形態による自動取引装置によれば、一又は複数の蓋によって、取り忘れ回収部または運用リジェクト部を選択的に開かれた状態とすることができるので、回収作業時の硬貨の異種混合の防止、さらに、異種硬貨混同による現金違算を回避することができる。
【００９２】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９３】
例えば、本明細書の各実施形態では、第１の収納部として取り忘れ回収部３１、および第２の収容部として運用リジェクトカセット３２を挙げたが、本発明の実施形態はこれに限定されない。例えば、第１および第２の収納部は、金種別スタッカ、取り忘れ回収部、運用リジェクト部および補充リジェクト部等の各収納部の組み合わせであってもよい。
【００９４】
また、本明細書の各実施形態では、外蓋、内蓋に設けられる硬貨が入るための穴としてスリット状の穴を例示したが、本発明の実施形態はこれに限定されない。例えば、丸型や楕円、その他任意の形状であってもよい。
【００９５】
また、本明細書の各実施形態のうち、外蓋および内蓋を有する回収カセット３０−１、３０−２、３０−５については、外蓋の各スリットにシャッタが設けられる旨を説明したが、本発明の実施形態はこれに限定されない。例えば、外蓋を有する回収カセット３０−１、３０−２、３０−５において、内蓋のスリットにもシャッタを設けてもよい。このように内蓋のスリットに設けられたシャッタは、外蓋の各スリットに設けられたシャッタと同様に、回収カセットが本体（自動取引装置）に装填される場合に本体に設けられたシャッタ解除棒（図示せず）により開けられ、回収カセットの内部にスリットから硬貨が入れられる。
【符号の説明】
【００９６】
１      自動取引装置
２      硬貨取扱口
３      紙幣取扱口
４      顧客操作表示部
５      通帳挿入口
６      カード挿入口
７      専用網
９      金融機関ホスト
３０    回収カセット
３１    取り忘れ回収部
３２    運用リジェクト部
４２、５１、５５、７５、７７    内蓋
４０、６１、６２、７０、８３    外蓋
４４、５７    バネ
６３、７９    ストッパー
【図１】
0005392331.tif 000002
【図２】
0005392331.tif 000003
【図３】
0005392331.tif 000004
【図４】
0005392331.tif 000005
【図５】
0005392331.tif 000006
【図６】
0005392331.tif 000007
【図７】
0005392331.tif 000008
【図８】
0005392331.tif 000009
【図９】
0005392331.tif 000010
【図１０】
0005392331.tif 000011
【図１１】
0005392331.tif 000012
【図１２】
0005392331.tif 000013
【図１３】
0005392331.tif 000014